(57)【特許請求の範囲】
【請求項１】
撮影された写真をリアルタイムで表示するリアルタイム写真表示システムであって、
写真撮影ウエブアプリケーションと映像表示アプリケーションを有するサーバと、
表示装置とを備え、
前記写真撮影ウエブアプリケーションは、写真を撮影する端末装置から、撮影された写真を記録した写真データを前記サーバに送信し、
前記映像表示アプリケーションは、前記写真データを受信するとともに受信した１以上の写真データを用いて該１以上の写真データのそれぞれに記録された写真の全てを含む映像を生成し、前記写真データとともに該写真データを前記映像に含めた時刻を記憶し、該時刻からの所定の時間が経過した後には前記写真データに記録された写真を該時間が経過する前よりも縮小して映像に含め、
前記表示装置は前記映像又はその一部を表示することを特徴とする、リアルタイム写真表示システム。
【請求項２】
前記映像表示アプリケーションは、前記縮小の際に、前記写真データに記録された写真を回転させながら縮小することを特徴とする、請求項１に記載のリアルタイム写真表示システム。
【請求項３】
前記映像表示アプリケーションは、前記１以上の写真データのそれぞれに記録された写真を前記表示装置の表示フレーム内で周期的にスクロールして映像に含め、前記所定の時間は前記スクロールの周期よりも短いことを特徴とする、請求項１又は２に記載のリアルタイム写真表示システム。
【請求項４】
前記端末装置は、ジェスチャ操作を検知可能な携帯通話機又はタブレットコンピュータであり、
前記写真撮影ウエブアプリケーションは、撮影された写真を表示する画面上で該画面の下から上にフリックするジェスチャ操作を検知した場合に前記写真を記録した写真データを送信することを特徴とする、請求項１〜３のいずれか一項に記載のリアルタイム写真表示システム。
【請求項５】
２以上の前記表示装置を備え、
前記映像表示アプリケーションは、前記写真データを表示する前記２以上の前記表示装置のうちの１を選択する表示装置選択手段を備えることを特徴とする、請求項１〜４のいずれか一項に記載のリアルタイム写真表示システム。
【請求項６】
前記サーバは、２以上のＵＲＬを有し、
前記表示装置選択手段は、前記写真データの送信されたＵＲＬに基づいて前記表示装置を選択することを特徴とする、請求項５に記載のリアルタイム写真表示システム。
【請求項７】
前記写真撮影ウエブアプリケーションは、前記写真データとともに前記端末装置によって取得されたＧＰＳ情報を送信し、
前記表示装置選択手段は、前記ＧＰＳ情報に基づいて前記表示装置を選択することを特徴とする、請求項６に記載のリアルタイム写真表示システム。
【請求項８】
前記表示装置は式典会場に設置され、
前記ＵＲＬは、式典参加者に配布される印刷物に印刷されたものであることを特徴とする、請求項６に記載のリアルタイム写真表示システム。
【請求項９】
前記ＵＲＬが、２次元バーコードとして印刷されていることを特徴とする、請求項８に記載のリアルタイム写真表示システム。
【発明の詳細な説明】
【技術分野】
【０００１】
本発明は、撮影された写真をリアルタイムに表示するリアルタイム写真表示システム及び該システムを使用したリアルタイム写真表示方法に関する。
【背景技術】
【０００２】
結婚披露宴、祝賀会等の式典会場において、カメラを持参しない参加者が、携帯電話機（スマートホンを含む）やタブレットコンピュータ等の撮影機能を有する携帯端末により写真を撮影することも多い。撮影された写真を収集したものは、結婚披露宴等の式典の様子を良く表す。そこで、特許文献１には、携帯端末により撮影された写真を収集し、収集した写真をホームページ上に表示することで、式典不参加者に式典の様子を伝達するリアルタイム写真表示システムが開示されている。また、特許文献２には、結婚式の様子を撮影した写真を収集し、編集・加工してビデオ映像を作成し、披露宴会場において放映する写真表示システムが開示されている。
【０００３】
結婚披露宴を考えると、撮影された写真を披露宴会場においてリアルタイムで表示することで、披露宴を盛り上げることが期待される。例えば、新郎新婦が会場を歩いて挨拶する際に、新郎新婦の近くの席にいる参加者が新郎新婦を撮影した写真が会場に大画面表示される。
【０００４】
しかし、特許文献１及び２に開示されたものは、撮影された写真を式典会場においてリアルタイムで表示するものではなかった。特許文献１のものはホームページ上の表示であり、ブラウザの画面が式典の雰囲気になじまない。特許文献２のものは、結婚式と披露宴の間の時間を使用するものであり、リアルタイム性がない。
【先行技術文献】
【特許文献】
【０００５】
【特許文献１】特開２０１０−３４８０４号公報
【特許文献２】国際公開第２００５／０６２２１号
【発明の概要】
【発明が解決しようとする課題】
【０００６】
本発明は、式典会場において撮影された写真をその式典会場でリアルタイムに表示するリアルタイム写真表示システム、及び該システムを使用した効率的なリアルタイム写真表示方法を提供することを課題とする。
【課題を解決するための手段】
【０００７】
本発明のリアルタイム写真表示システムは、
撮影された写真をリアルタイムで表示するリアルタイム写真表示システムであって、
写真撮影ウエブアプリケーションと映像表示アプリケーションを有するサーバと、
表示装置とを備え、
前記写真撮影ウエブアプリケーションは、写真を撮影する端末装置から、撮影された写真を記録した写真データを前記サーバに送信し、
前記映像表示アプリケーションは前記写真データを受信するとともに、受信した１以上の写真データを用いて該１以上の写真データのそれぞれに記録された写真の全てを含む映像を生成し、
前記表示装置は前記映像又はその一部を表示することを特徴とする。
【０００８】
これによれば、式典会場において撮影された写真のすべてを表示装置に表示することができる。
なお、「リアルタイム」とは、送信された写真を遅滞なく表示することを言う。必ずしも撮影と同時に表示されるものではない。
【０００９】
本発明のリアルタイム写真表示システムは、
前記映像表示アプリケーションは、前記写真データとともに該写真データを前記映像に含めた時刻を記憶し、該時刻からの所定の時間が経過した後には前記写真データに記録された写真を該時間が経過する前よりも縮小して映像に含めることを特徴とする。
【００１０】
これによれば、最近に撮影された写真が他の写真よりも大きく表示され式典の参加者に印象深く見えるようにすることができる。
【００１１】
本発明のリアルタイム写真表示システムは、
前記映像表示アプリケーションは、前記縮小の際に、前記写真データに記録された写真を回転させながら縮小することを特徴とする。
【００１２】
これによれば、写真が縮小される際の画像の変化が自然なものとなる。
【００１３】
本発明のリアルタイム写真表示システムは、
前記映像表示アプリケーションは、前記１以上の写真データのそれぞれに記録された写真を前記表示装置の表示フレーム内で周期的にスクロールして映像に含め、前記所定の時間は前記スクロールの周期よりも短いことを特徴とする。
【００１４】
これによれば、一度スクロールアウトした画像（スクロールアウトする前に縮小されたものを含む）は、次にスクロールインする際には縮小されている。縮小されずに表示される写真は直近に撮影されたもののみであることとなり、見る者にわかりやすい。
【００１５】
本発明のリアルタイム写真表示システムは、
前記端末装置は、ジェスチャ操作を検知可能な携帯電話機又はタブレットコンピュータであり、
前記写真撮影ウエブアプリケーションは、撮影された写真を表示する画面上で該画面の下から上にフリックするジェスチャ操作を検知した場合に前記写真を記録した写真データを送信することを特徴とする。
【００１６】
これによれば、式典の参加者は、撮影した写真を見て表示機に表示させるか否かを選択することができ、表示させる画像をフリックすることで選択することができる。参加者が表示装置のほうを向いていると、フリック操作は写真を表示装置に向けて送るようなジェスチャとなり、直感的にわかりやすい。なお、ここで「フリック」は画面下方から上方に向けて動かすジェスチャのうち速度等が所定の要件を満たすものを言うが、所定の要件は適宜に定めてよい。例えば、下方から上方に向けて動かすジェスチャの全てをフリックであるとしてもよい。
【００１７】
本発明のリアルタイム写真表示システムは、
２以上の前記表示装置を備え、
前記映像表示アプリケーションは、前記写真データを表示する前記２以上の前記表示装置のうちの１を選択する表示装置選択手段を備えることを特徴とする。
【００１８】
これによれば、１のサーバによって２以上の式典会場にリアルタイム写真表示を行うことができる。
【００１９】
本発明のリアルタイム写真表示システムは、
前記サーバは、２以上のＵＲＬを有し、
前記表示装置選択手段は、前記写真データの送信されたＵＲＬに基づいて前記表示装置を選択することを特徴とする。
【００２０】
これによれば、ＵＲＬによって２以上の式典会場を峻別することができる。写真撮影ウエブアプリケーションがアクセスされたＵＲＬごとにあればよく（プログラムとしては１つのウエブアプリケーションがアクセスされたＵＲＬに基づいて写真送信先のＵＲＬを定めることでもよい）、効率的に運用できる。
【００２１】
本発明のリアルタイム写真表示システムは、
前記写真撮影ウエブアプリケーションは、前記写真データとともに前記端末装置によって取得されたＧＰＳ情報を送信し、
前記表示装置選択手段は、前記ＧＰＳ情報に基づいて前記表示装置を選択することを特徴とする。
【００２２】
これによれば、ＧＰＳ情報によって式典会場を特定し、表示装置を特定することができる。
【００２３】
本発明のリアルタイム写真表示システムは、
前記表示装置は式典会場に設置され、
前記ＵＲＬは、式典参加者に配布される印刷物に印刷されたものであることを特徴とする。
【００２４】
これによれば、式典参加者のみが写真を送信するＵＲＬが設定される。式典参加者が式典において撮影した写真のみが式典会場の表示装置に表示されることが確実になる。
【００２５】
本発明のリアルタイム写真表示システムは、
前記ＵＲＬが、２次元バーコードとして印刷されていることを特徴とする。
【００２６】
これによれば、式典参加者は、２次元バーコードを撮影してＵＲＬへのアクセス（写真撮影ウエブアプリケーションの使用）を容易に行うことができる。
【発明の効果】
【００２７】
本発明のリアルタイム写真表示システムによれば、撮影された写真をリアルタイムに表示し、式典の効果を高めることが可能となる。
【００２８】
本発明のリアルタイム写真表示方法によれば、リアルタイム写真表示システムを効率的に運用することが可能となる。
【図面の簡単な説明】
【００２９】
【図１】図１は、リアルタイム写真表示システムの構成を示す図である。(実施例１)
【図２】図２は、写真撮影ウエブアプリケーションによる表示の例を示す図である。(実施例１)
【図３】図３は、作成される画像の例を示す図である。（実施例１）
【図４】図４は、作成される画像の例を示す図である。（実施例１）
【図５】図５は、縮小される画像の例を示す図である。（実施例１）
【図６】図６は、回転させながら縮小する状況を示す図である。(実施例１)
【図７】図７は、リアルタイム写真表示システムの構成を示す図である。（実施例２）
【発明を実施するための形態】
【００３０】
以下、本発明のリアルタイム写真表示システムの基本的構成を示す実施例１、本発明の第リアルタイム写真表示システムの応用例及び本発明のリアルタイム写真表示方法を示す実施例２について、説明する。
【実施例１】
【００３１】
図１は、リアルタイム写真表示システムの構成を示す図である。リアルタイム写真表示システムは、インターネット等の通信回線に接続された表示装置２及びサーバ３から構成され、サーバ３には映像表示アプリケーション３１及び写真撮影ウエブアプリケーション３２が備えられている。
【００３２】
表示装置２の設置された式典会場１０には、式典の参加者が持参した多数の端末装置１が存在する。なお、端末装置１は、リアルタイム写真表示システムの構成要素ではない。
【００３３】
端末装置１がサーバ３の有するＵＲＬにアクセスすると、写真撮影ウエブアプリケーション３２が起動される。図２は、写真撮影ウエブアプリケーションによる表示の例を示す図である。かかる表示が端末装置１の画面において行われる。
【００３４】
写真撮影ウエブアプリケーション３２は、ユーザが写真を撮影すると、その写真を図２の画面に表示する。その際、撮影時における重力検知によって写真の上下を定めて上下を合わせて表示する。
【００３５】
ユーザは、写真を送信するか否かを判断し、送信するのであれば図に３２１で示すフリック動作（タブレット表面におけるジェスチャ）を行う。送信しないのであればボタン３２２に触れる。写真撮影ウエブアプリケーション３２は、フリック動作を検出した場合には送信して、ボタン３２２のタッチを検出した場合には送信せずに、次の写真の撮影に移る。
【００３６】
送信は、写真撮影ウエブアプリケーション３２が撮影された写真の画像を含む写真データをサーバに保存することによって行われる。写真データには、写真の画像の他に重力方向等の情報を含むことができる。
【００３７】
映像表示アプリケーション３１は、送信された写真データに含まれる写真の画像の全てを含めた画像を作成する。図３は、作成される画像の例を示す図である。横長の長方形の画像３１１には、写真画像３４が多数（送信されたものの全数）含まれている。写真画像３４は傾斜を持って配置されているが、重力方向の情報から定められる写真の上下方向に対して４５度を超えて傾かないように調整される。
【００３８】
写真画像３４の位置及び傾きは、任意に設計することができる。例えば、写真を任意の傾きで配置することのできる正方形の領域を複数定義し、受信した写真画像をそれらの領域の左上から右上に受信した順に配置し、傾きを０度から４５度の間でランダムに定めればよい。
【００３９】
写真画像の数が多くなると、映像３１１は、表示装置２の表示フレームを超えて大きくなる。この場合、映像表示アプリケーション３１は、映像３１１を左右方向に伸ばす。表示装置２には図において実線で囲った部分のみが表示される。映像表示アプリケーション３１し、図において白抜き矢印で示すように画像を左方向にスクロールして表示装置２に順次表示させる。画像３１１の右端に達したら再び左端からスクロールさせて表示する。なお、画像を左方向でなく右方向にスクロールしてもよい。また、映像３１１を上下方向に伸ばし、画像を上方向（又は下方向）にスクロールしてもよい。
【００４０】
以上が映像表示アプリケーション３１の基本処理である。新たに写真を受信した際に、映像表示アプリケーション３１は、以下の追加処理を行うこともできる。
【００４１】
図４は、作成される画像の例を示す図である。映像表示アプリケーション３１は、受信した写真の画像を最初に取り込む際、大型写真画像３４ａとして、画像に取り込む。また、傾斜させないものとする。なお、他の写真画像を覆うものとしてもよい。式典の参加者は、大型の画像であることにより、撮影されたばかりの写真であることを容易に理解することができる。
【００４２】
大型写真画像３４ａについては、いずれ、他の写真画像と同等の大きさとする。図５は、縮小される画像の例を示す図である。例えば、写真画像３４ｂに縮小・移動する。これにより、大型写真画像３４ａに隠れていた他の写真があったとしても、それを再び見ることができるようになる。
【００４３】
当該写真画像を、大型写真画像３４ａのままでスクロールアウトさせ、次にスクロールインさせる際に写真画像３４ｂとすることができる。写真画像は、最初に表示されてからスクロールの周期である時間が経過した後には、縮小されて表示されることとなる。
【００４４】
写真画像は、スクロールアウトする前に縮小することもできる。この場合、大型写真画像３４ａを消去し写真画像３４ｂを生成することを一時に行うと、表示招致２に表示される画面が急に変化するので必ずしも好ましくない。そこで、写真画像を回転させながら縮小する。
【００４５】
図６は、回転させながら縮小する状況を示す図である。大型写真画像３４ａを縮小しながら写真画像３４ｂの位置に移動するが、その際、単純に移動せず、回転させながら縮小・移動を行う。大型写真画像３４ａを図の矢印の向きに回転させつつ、縮小・移動する。大型写真画像３４ａは、写真画像３４ｃの状態となり、その後に写真画像３４ｂとなる。回転を加えることにより、画像の変化が複雑になり、単純な縮小・移動に比して、いかなる変化であるかが把握しづらく、かえって自然に感じられることが知られている。
【実施例２】
【００４６】
本実施例は、１のサーバ３により２の式典会場におけるリアルタイム写真表示を行うものである。各々の式典会場におけるリアルタイム写真表示に係る端末装置１、表示装置２、映像表示アプリケーション３１及び写真撮影ウエブアプリケーション３２の動作は、実施例１と同様であり、詳細な説明を省略する。
【００４７】
図７は、リアルタイム写真表示システムの構成を示す図である。サーバ３、映像表示アプリケーション３１及び写真撮影ウエブアプリケーション３２は１つであるが、２つの式典会場１０ａ及び１０ｂがあり、表示装置２ａ及び２ｂが設けられている。また、各々の会場に端末装置１ａ及び１ｂが存在する。以下、端末装置１及び表示装置２の後の符号a及びｂについて、会場を峻別する必要のない場合には省略する。
【００４８】
式典は結婚披露宴であるとする。披露宴の参加者には、会場１０ａと１０ｂとで異なるＵＲＬの情報が２次元バーコードとして印刷された印刷物が配布されている。印刷物は、式典会場で配布しても、式典への招待状として事前に郵送してもよい。また、写真撮影ウエブアプリケーション３２の使用方法のガイドを印刷物に含めることもできる。
【００４９】
参加者は、端末装置１となる携帯電話機を持参し、それに内蔵されたカメラで２次元バーコードを撮影する。これにより、サーバ３にアクセスして写真撮影ウエブアプリケーション３２を使用することができる。
【００５０】
参加者が撮影した写真を送信すると、アクセスしたＵＲＬの写真撮影ウエブアプリケーション３２によってそのＵＲＬに送信される。映像表示アプリケーション３１は、そのＵＲＬによって表示装置２ａまたは２ｂを選択する。これにより、端末装置１ａにより撮影された写真は表示装置２ａに、端末装置１ｂにより撮影された写真は表示装置２ｂに、それぞれ表示される。
【００５１】
以上のとおり、１つのサーバ３（映像表示アプリケーション３１及び写真撮影ウエブアプリケーション３２）によって、２つの会場１０におけるリアルタイム写真表示を行うことができる。なお、ＵＲＬによって表示装置２（２ａ、２ｂ、．．．）が峻別されるので、２つの会場に限らず、３つ以上の会場１０におけるリアルタイム写真表示を行うこともできる。
【００５２】
本実施例において、表示装置２ａ及び２ｂの少なくとも一方は、ネットワークから画像を受信し、それを表示する装置、例えばパーソナルコンピュータであることが必要である。サーバ３と離隔された箇所に設置されているためである。この点、実施例１においては、サーバ３を式典会場内に設置してそのディスプレイ機器を表示装置２とすることもできた。
【００５３】
以上、ＵＲＬによって表示装置２を選択するリアルタイム写真表示について説明した。表示装置２の選択は、ＵＲＬ以外の方法によることも可能である。以下、ＧＰＳ情報による例を説明する。
【００５４】
写真撮影ウエブアプリケーション３２は、写真データにＧＰＳ情報を含めて送信する。映像表示アプリケーション３１は、そのＧＰＳ情報によって表示装置２ａまたは２ｂを選択する。すなわち、ＧＰＳ情報から式典会場を特定する。これにより、端末装置１ａにより撮影された写真は表示装置２ａに、端末装置１ｂにより撮影された写真は表示装置２ｂに、それぞれ表示される。
【００５５】
写真データは、サーバ３に保存されている。結婚式の後で新郎新婦や親族に贈呈すること、加工して２次的な利用（例えばエンドロールの作成）をすること、その他自由に使用することができる。
【産業上の利用可能性】
【００５６】
式典会場において撮影された写真をその式典会場でリアルタイムに表示するリアルタイム写真表示システム、及び該システムを使用した効率的なリアルタイム写真表示方法であり、多くの式典会場、特に結婚式場の運営者による利用が期待される。
【符号の説明】
【００５７】
１      端末装置
２      表示装置
３      サーバ
３１    映像表示アプリケーション
３１１  映像
３２    写真撮影ウエブアプリケーション
３４    写真画像
１０      式典会場
【要約】
【課題】式典会場において撮影された写真をその式典会場でリアルタイムに表示するリアルタイム写真表示システム、及び該システムを使用した効率的なリアルタイム写真表示方法を提供すること。
【解決手段】写真撮影ウエブアプリケーション３２と映像表示アプリケーション３１を有するサーバ３と表示装置２とを備えたリアルタイム写真表示システムを提供する。写真撮影ウエブアプリケーション３２は端末装置１から撮影された写真を記録した写真データをサーバに送信し、映像表示アプリケーション３１は写真データを受信するとともに、受信した１以上の写真データを用いて該１以上の写真データのそれぞれに記録された写真の全てを含む映像を生成し、表示装置２に該映像又はその一部を表示させる。表示装置２を特定するＵＲＬの情報が印刷された印刷物を、式典参加者に配布するリアルタイム写真表示方法を提供する。
【選択図】図１【図１】
0005808029.tif 000002
【図２】
0005808029.tif 000003
【図３】
0005808029.tif 000004
【図４】
0005808029.tif 000005
【図５】
0005808029.tif 000006
【図６】
0005808029.tif 000007
【図７】
0005808029.tif 000008